(57)【特許請求の範囲】
【請求項１】
薬瓶をシールするために用いられる封止蓋のストッパであって、該ストッパが、弾性材料から形成され、かつ円板形状の頂上部分と頂上部分の底面から同軸に延び中空の内部空間を区画形成する実質的に円筒形状の下側部分とを具備し、下側部分が、中空の内部空間を取巻く内面上に少なくとも１つの長手方向の溝を区画形成し、下側部分の末端が２つの長手方向の空間スロットにより２つの長手方向の部分に分割され、下側部分が４つの長手方向の溝を区画形成し、第１及び第２の溝が空間スロットと同じ角度位置に配置され空間スロットの端部から上方に延び、第３及び第４の溝が空間スロットから等距離で２つの長手方向の部分に配置されかつ長手方向の部分の縁から上方に第１及び第２の溝と同じ高さに延びており、
頂上部分の中央部分が０．０７０から０．０９０インチ（１．７８から２．２９mm）の厚さである、
封止蓋のストッパ。
【請求項２】
弾性材料がゴムであり、ストッパが弾性材料を成形することにより形成された単一部材である請求項１に記載のストッパ。
【請求項３】
薬瓶をシールする封止蓋であって、薬瓶が開口と開口の周りの頸部の外側ねじとを有し、封止蓋が、
底端部の開口と薬瓶の外側ねじに螺合する内側ねじとを有する円筒状の蓋本体と、
弾性材料で形成されたストッパであって、円板形状の頂上部分と頂上部分の底面から同軸に延び中空の内部空間を区画形成する実質的に円筒形状の下側部分とを有し、下側部分が中空の内部空間を取巻く内面上に少なくとも１つの長手方向の溝を区画形成し、ストッパが円筒状の蓋本体の実質的に内部に配置されている、ストッパ
とを具備し、
下側部分の末端が２つの長手方向の空間スロットにより２つの長手方向の部分に分割され、下側部分が４つの長手方向の溝を区画形成し、第１及び第２の溝が空間スロットと同じ角度位置に配置され空間スロットの端部から上方に延び、第３及び第４の溝が空間スロットから等距離で２つの長手方向の部分に配置され長手方向の部分の縁から上方に第１及び第２の溝と同じ高さに延びており、
頂上部分の中央部分が０．０７０から０．０９０インチ（１．７８から２．２９mm）の厚さである、
薬瓶をシールする封止蓋。
【請求項４】
ストッパの頂上部分が蓋本体の内径と実質的に同じ直径を有し、ストッパの下側部分が薬瓶の開口の内径と実質的に同じ外径を有している請求項３に記載の封止蓋。
【請求項５】
蓋本体がリップ部分によって取巻かれた頂端の開口を区画形成しストッパの頂上部分の頂面の一部を露出させるようにしている請求項３に記載の封止蓋。
【請求項６】
弾性材料がゴムであり、ストッパが弾性材料を成形することにより形成された単一部材である請求項３に記載の封止蓋。
【発明の詳細な説明】
【０００１】
技術分野
本発明はストッパを組込んだ薬瓶のためのストッパと封入蓋に関し、特に多数回の突通しが可能な蓋とストッパに関する。
【０００２】
背景技術
ねじ蓋型のガラスの薬瓶をシールする弾性ストッパを組込んだ封入蓋は広く知られている。１つの従来の封入蓋はバーネット他への米国特許第４，２３０，２３１号に記載されている。図８Ａと８Ｂは薬瓶１１６をシールするためストッパ１２４を組込んだ従来技術の蓋１１０を示している。ストッパ１２４は円板状の上側部分と下側部分とを有し、下側部分は３つの等間隔で配置されたスロット１２６により３つの可撓性の等しい長さの部分１２８に分割されている。各部分１２８はスロット１２６より長い内側中空空間１３０を取囲んでいる。ストッパ１２４はゴムのような弾性材料で作られ蓋本体に結合され一体の蓋１１０を形成する。蓋１１０が薬瓶１１６にねじ込まれた時、ストッパの可撓性の下側部分が薬瓶の開口に挿入されそれにより薬瓶をシールするようにしている。蓋本体は頂部に開口を有しストッパの中央部分を露出させ針によりストッパを突き通し薬瓶の液体内容物を取出すようにする。
【０００３】
このような蓋は薬瓶の気密及び液密のシールのために用いられまた針で突通すことにより内容物を取出すことができるようにする。突通す前に、薬瓶の内容物は典型的には薬瓶の揺動運動により混合される。ある種の従来技術の封入蓋の欠点は薬瓶の内容物が揺動運動の後ストッパの中空部分に残されることである。したがって、ストッパが単一内腔の針で突通された時、ストッパの中空の空間の内部に残っている薬瓶の内容物が針の周りの突通し穴を通って押出されるようになる。
【０００４】
発明の概要
本発明の目的は薬瓶の内容物の漏れがなく多数回の突通し作用を行うことのできる薬瓶のための封入蓋を提供することである。
【０００５】
本発明の他の目的は薬瓶の内容物が混合後の突通し作用の間吸出されないようにする封入蓋を提供することである。
【０００６】
本発明のこれらのまた他の形態、特徴及び利点は図面と請求の範囲とに関連した詳細な記載を精読することによりさらに良く理解されるであろう。
【０００７】
本発明の実施態様によれば、薬瓶をシールするのに用いられる封入蓋のストッパは弾性材料から形成され、そして円板形状の頂上部分と、頂上部分の底面から同軸に延び中空の内部空間を区画形成する実質的に円筒形状の下側部分とを具備し、下側部分は中空の内部空間を取巻く内面上に少なくとも１つの長手方向の溝を区画形成している。
【０００８】
本発明の他の実施態様によれば、薬瓶をシールする封入蓋は底端部の開口と薬瓶の外側ねじに螺合する内側ねじとを有する円筒状の蓋本体と、弾性材料で形成されたストッパとを具備し、ストッパは円板形状の頂上部分と頂上部分の底面から同軸に延び中空の内部空間を区画形成する実質的に円筒形状の下側部分とを有し、下側部分は、中空の内部空間を取巻く内面上に少なくとも１つの長手方向の溝を区画形成し、頂上部分は蓋本体の内径と実質的に同じ直径を有し下側部分は薬瓶の開口の内径と実質的に同じ外径を有し、ストッパは円筒状の蓋本体の実質的に内側に配置されている。本発明の他の形態によれば、蓋本体はリップ部分によって取巻かれた頂端部の開口を区画形成しストッパの頂上部分の頂面の一部を露出させるようにする。
【０００９】
本発明のまた他の形態によれば下側部分の末端は複数の長手方向空間スロットにより複数の長手方向の部分に分割される。
【００１０】
好適な実施態様の詳細な記載
図１〜５は本発明の実施態様によるストッパ１０を示す。ストッパ１０は平坦な頂面１２ａを有する円板形状の上側部分１２と、上側部分の底面から下方に向って同軸に延びる実質的に円筒形の下側部分１４とを有している。下側部分１４は頂上部分１２の直径よりも小さな外径を有している。円筒形状の下側部分１４は上側部分１２の底面上の円滑な凹所１８によって基端又は頂端で区画されている内部の中空空間１６を取巻く。下側部分１４は中央部分２１より小さな外径を有する基端部の頸部分２０を有している。頸部分は内側リップを包含するプラスチックの薬瓶と共に使用された時に有用である任意の特徴構造であり、内側リップは前記頸部分に着座されストッパが薬瓶に挿入された時に生じる増大された圧力によりひき起こされるストッパのガス漏れがないようにする。下側部分１４の末端部の外面２２は内側に向って好ましくはストッパの長手方向の軸線Ｃに対して約５°の角度で傾斜している。この特徴はストッパを薬瓶に挿入するのを容易にする。ストッパ１０は成形のような適当な方法によってゴムのような高い弾性の材料で形成される。
【００１１】
図６はストッパ１０を組込んだ封止蓋２６によってシールされた薬瓶２４を示す断面図である。図７は薬瓶２４、ストッパ１０及び蓋の本体３０を示す分解図である。薬瓶２４は例えば当該技術において周知のねじ蓋型のガラスの薬瓶であり、外側ねじ２８を有する頸部分に均一な大きさに形成された開口を有している。封止蓋２６は底部に開口端を有する管状本体３０を有している。本体３０は好ましくは硬いプラスチック材料で形成される。内側ねじ３２が蓋本体３０に設けられ蓋が薬瓶に螺着された時に薬瓶２４の外側ねじ２８と螺合するようになっている。蓋は捩り運動により薬瓶に締めつけられる。蓋本体３０の頂端は環状リップ部分３６によって取巻かれた丸い開口３４を有している。ストッパ１０の上方部分１２の直径は薬瓶の開口の直径より大きくまたストッパの下方部分の中央部分２１の外径は薬瓶の開口の直径よりも屈撓しない状態のもとで僅かに大きくなっている。このため、封止蓋２６が薬瓶２４にねじ込まれた時、上側部分１２がリップ部分３６と薬瓶の縁との間に保持され、下側部分１４は薬瓶の開口に挿入される。
【００１２】
ストッパ１０は蓋本体３０の内側に配置されまた蓋本体３０に結合され一体の封止蓋２６を形成する。ストッパは蓋本体より長くもしくは短くされ又は蓋本体と実質的に同じ長さとされる。好ましくはストッパ１０は接着剤４４により蓋のリップ部分３６の下側とストッパの頂面１２ａの外周との間の接触面で蓋２４に接着される。使用される接着剤の型は例えばロックタイト会社（１００１  トラウト  ブロック  クロスイング，ロッキー  ヒル，コネチカット  ０６０６７）からのプリズム（登録商標）４０１接着剤とすることができる。しかし、当業者にとって公知の他の表面接着剤を用いることができる。好ましくは、蓋本体３０の頂部開口３４の直径より大きな直径を有する環状溝３８のような溝がストッパ１０の頂面１２ａに設けられ、この溝はリップ部分３６とストッパとの間の接触面に位置しストッパを蓋本体に接着するために塗布された過剰の接着剤を受入れるよりにする。ストッパ１０を組込んだ一体の封止蓋２６は薬瓶２４に反履して螺着されまた薬瓶２４から取外すことができる。
【００１３】
蓋本体３０の開口３４は封止蓋２６が薬瓶２４に螺着された時針によるストッパ１０の突通しができるようにする。ストッパ１０を形成するのに用いられた弾性材料は突通し穴の再度のシールができそれにより薬瓶の内容物の漏れのない多数回の突通しができるようにする。１つの好ましい実施態様では用いられる弾性材料はプラスチコイド会社（２４９  ダブリュー  ハイストリート，エルクトン，メアリランド  ２１９２１）により商標名“３４５レッド”のもとに製造されたゴム製品である。このゴムは通常の加硫方法を用いて加硫され、４０±５ショアａ（測定の単位が“ショアａ”である）の硬度と、１．２０ｇ／cm3 の特定重力と、２８００ポンド／平方インチ（１９３０５．３３kPa ）の引張り強度と、４５０ポンド／平方インチ（３１０２．６４kPa ）の３５０％のモジュールと、３５０％の伸び率とを有している。当業者によって認識されるように、他の適当な材料もまた用いられプラスチコイド会社により商標名“マテリアル１１５−１ピュアゴム”のもとに製造されたゴム製品のようなストッパを形成することができる。マテリアル１１５−１と３４５レッドとの間の主なる相違は材料の硬度である。マテリアル１１５−１はより大きな弾性を有し鋭利な針で多数回の突通しをするのに有用である。針が丸くなった先端の針であったならば、３０回の突通しを超える多数回の突通しはストッパを薬瓶に押込むようにする。適当な材料が用いられるのに加えて、ストッパの幾何学的設計、特に突通し領域の厚さはまた封止蓋２６の突通し特性に影響を及ぼす。ストッパの突通し領域は蓋本体の開口３４に露出される領域を言い、これは実質的に頂上部分１２の底面の凹んだ領域１８に一致している。約１３ミリメートル（外径）×約６２ミリメートルの長さの普通に入手可能な薬瓶を用いる時突通しの厚さは好ましくは０．０７０から０．０９０インチ（１．７８から２．２９ミリメートル）であることが分かっている。１３mm×６２mmの薬瓶のための従来技術のストッパは一般に約０．１３０から０．１５０インチ（３．３０から３．８１ミリメートル）の厚さを有している。しかし、３４５レッドを用いる時はストッパが再シールできないため内容物が薬瓶から漏れるようになり、また０．０９０インチ（２．２９ミリメートル）より大きい厚さを用いる時は針の寿命に影響を与えるストッパを突通すためより大きな圧力を必要とすることが分かった。１つの実験においては、０．０８０インチ（２mm）の突通し厚さを有し上記のゴム材料を用いる好ましい実施態様による封止蓋は、薬瓶の内容物が漏出することがなく最大で約２２８回の突通しができた。
【００１４】
図１〜５を再び参照すると、ストッパ１０の下側部分１４は複数の長手方向の空間スロット４０によって複数の長手方向の部分に分割されている。これらのスロットは好ましくは等間隔となっている。２つの対角線方向に向き合うスロットを有する２つの長手方向の部分が図１の図示の実施態様に示されているが、異なった数の部分をストッパが確実に薬瓶に保持されるならば用いることもできる。空間スロットの長さ方向の深さ（図１では空間スロット４０によって示されている）は空間スロットが頸部分２０にまでは切込まれないような深さである。これらのスロットはストッパの末端部１２に泡が形成されるのを阻止する利点をもたらす。この利点は溝によっては得られない。
【００１５】
さらに、複数の長手方向の、好ましくは等間隔の溝４２は下側部分１４の内面に設けられる。４つの溝が図１〜５の図示の実施態様に示され、その２つの溝４２ａはスロット４０と同じ角度位置に配置されスロットの端部から上方に向って延び、その２つの溝４２ｂは２つの長手方向の部分１４ａの内面にスロットから等距離で位置し下側部分１４の底縁から上方に向って延びている。複数の長手方向の溝４２は中空の空間１６の頂部１８の近くに同じ高さで延びている。溝４２は好ましくは滑らかな、長手方向で見た時丸い断面を有しているが、矩形断面を有することもできる。溝４２の機能は液体の薬瓶内容物とストッパの内面との間の表面張力を破壊し混合作用の間のストッパの内部の中空空間に流入する内容物が薬瓶の中に戻されるようにすることである。これは薬瓶の内容物が突通しの前に中空空間の内部に残されるのを阻止しそれによりストッパが単一内腔の針で突通された時内容物が吸出されないようにする。約１３mm×約６２mmの普通に入手可能な薬瓶を用いる時溝は約０．０６±０．０１０インチ（１．５２±０．２５４mm）の幅と０．０３±０．０１０インチ（０．７６±０．２５４mm）の半径とを有することが分かった。
【００１６】
上記の記載は本発明の特定の実施態について述べているが、多くの変更が本発明の精神から逸脱することなく行われることが理解されるであろう。添付の請求の範囲は本発明の範囲と精神の範囲にあるためこのようなまた他の変更を含むことが意図されるものである。
【図面の簡単な説明】
【図１】  本発明の実施態様のストッパの斜面図である。
【図２】  図１のストッパの頂面図である。
【図３】  図１のストッパの底面図である。
【図４】  図２と３のＡ−Ａ′線に沿った図１のストッパの断面図である。
【図５】  図２と３のＢ−Ｂ′線に沿った図１のストッパの断面図である。
【図６】  ガラスの薬瓶をシールするのに用いられる図１のストッパを組込んだ封止蓋の断面図である。
【図７】  図６の封止蓋と薬瓶との分解図である。
【図８Ａ】  従来技術のストッパの斜面図である。
【図８Ｂ】  図８Ａのストッパを組込んだ従来技術の蓋の断面図である。
【図１】
0004568434.tif 000002
【図２】
0004568434.tif 000003
【図３】
0004568434.tif 000004
【図４】
0004568434.tif 000005
【図５】
0004568434.tif 000006
【図６】
0004568434.tif 000007
【図７】
0004568434.tif 000008
【図８Ａ】
0004568434.tif 000009
【図８Ｂ】
0004568434.tif 000010